(57)【要約】【課題】光ディスクの再生に際し、より確実に同期信号の再生を行うことができるようにする。【解決手段】光ディスクの情報を読み取るピックアップの出力信号を２値化した信号に基づき、同期信号を再生する装置において、２値化信号ｂ中の同期信号を構成する最大反転間隔以上の間隔を有する反転間隔を検出する第１の間隔検出手段２１と、２値化信号中の同期信号を構成する他の反転間隔以上の間隔を有する反転間隔を検出する第２の間隔検出手段２２と、第１及び第２間隔検出手段による検出が所定の間隔を置いて行われたことに応答して、所定のパルスを出力するパルス出力手段２３、２５、２６とを設ける。【選択図】図２
2007004939.tif 000002
【特許請求の範囲】
【請求項１】
光ディスクの情報を読み取るピックアップの出力信号を２値化した信号に基づき、同期信号を再生する装置であって、
前記２値化信号中の前記同期信号を構成する最大反転間隔以上の間隔を有する反転間隔を検出する第１の間隔検出手段と、
前記２値化信号中の前記同期信号を構成する他の反転間隔以上の間隔を有する反転間隔を検出する第２の間隔検出手段と、
前記第１及び第２間隔検出手段による検出が所定の間隔を置いて行われたことに応答して、所定のパルスを出力するパルス出力手段とを具備することを特徴とする同期信号再生装置。
【請求項２】
前記他の反転間隔は前記最大反転間隔に対して隣接する反転間隔であり、前記所定間隔は、ほぼ前記最大反転間隔又は他の反転間隔に等しいことを特徴とする請求項１に記載の同期信号再生装置。
【請求項３】
前記第１間隔検出手段は、入力される反転間隔がほぼ前記最大反転間隔だけ継続した時点で前記最大反転間隔を検出した旨を示す第１のパルスを出力するものであり、
前記第２間隔検出手段は、入力される反転間隔がほぼ前記他の反転間隔だけ継続した時点で前記隣接間隔を検出した旨を示す第２のパルスを出力するものであり、
前記パルス出力手段は、
前記同期信号において前記最大反転間隔が前記他の反転間隔の前に位置する場合には前記第１パルスを前記他の反転間隔だけ遅延させ、後に位置する場合には前記第２パルスを前記最大反転間隔だけ遅延させる手段と、
前記遅延手段の出力及びそれによって遅延されていない前記第２又は第１間隔検出手段の出力の論理積を出力する手段とを有することを特徴とする請求項２に記載の同期信号再生装置。
【請求項４】
前記第１間隔検出手段又はこれに加えて前記第２間隔検出手段の出力するパルスの数をカウントする手段と、
前記カウント手段によるカウント値に基づき、前記光ディスクを回転させる手段を制御する手段とを有することを特徴とする請求項３に記載の同期信号再生装置。
【請求項５】
前記カウント手段によるカウント値に基づき、前記第１間隔検出手段、第２間隔検出手段、及び遅延手段を、より大きな又は小さな間隔を有する反転間隔を検出する手段、及びその間隔に対応する分だけより大きな又は小さな間隔の遅延を生じさせる手段との間で切り替える手段を有することを特徴とする請求項４に記載の同期信号再生装置。
【請求項６】
前記最大反転間隔及び他の反転間隔は、ブルーレイディスクにおける同期信号を構成する２つの９Ｔの反転間隔、ＣＤにおける同期信号を構成する２つの１１Ｔの反転間隔、又はＤＶＤにおける同期信号を構成する１４Ｔ及び４Ｔの反転間隔であることを特徴とする請求項１〜５のいずれか１項に記載の同期信号再生装置。
【請求項７】
請求項１〜６のいずれかの同期信号再生装置を備え、それによって再生される同期信号に基づき、光ディスクの回転速度を制御し、光ディスクの再生を行うことを特徴とする光ディスク再生装置。
【請求項８】
光ディスクの情報を読み取るピックアップの出力信号を２値化した信号に基づき、同期信号を再生する方法であって、
前記２値化信号中の前記同期信号を構成する最大反転間隔以上の間隔を有する反転間隔を検出する第１の間隔検出工程と、
前記２値化信号中の前記同期信号を構成する他の反転間隔以上の間隔を有する反転間隔を検出する第２の間隔検出工程と、
前記最大反転間隔及び他の反転間隔の検出が所定の間隔を置いて行われたことに応答して、所定のパルスを出力するパルス出力工程とを具備することを特徴とする同期信号再生方法。
【発明の詳細な説明】
【技術分野】
【０００１】
本発明は、光ディスクの情報を読み取るピックアップの出力信号を２値化した信号に基づき、同期信号を再生する装置及び方法、並びにこれを用いた光ディスク再生装置に関する。
【背景技術】
【０００２】
ディジタルデータが記録されたＣＤ、ＤＶＤ等の光ディスクに記録されているデータを再生する装置においては、光ディスクの回転速度すなわち線速度が規定の速度となるように光ディスク回転駆動用のスピンドルモータの回転速度を制御するスピンドルサーボが行われる。スピンドルサーボにおいては、通常、光ディスクから読み取った信号をスライスレベルと比較して“１”又は“０”の２値信号に変換し、その２値信号における最大周期又は最大反転間隔を検出し、その最大周期又は最大反転間隔が所定の基準値となるようにスピンドルモータを駆動する粗調整がまず行われる。粗調整が完了すると、光ディスクに記録された同期信号を抽出し、抽出した同期信号について基準発振信号との位相比較を行い、その位相比較結果に応じてスピンドルモータを駆動する微調整が行われる。
【０００３】
上述の粗調整を改良したものとして、光ディスクから読み取った信号から、前記最大反転間隔を生じさせる最大ピットパターン及び付加ピットパターンから成る同期信号パターンを検出し、これに基づいてスピンドルモータの粗調整を行うようにした技術も知られている（たとえば特許文献１参照）。この技術においては、同期信号パターンを構成する最大ピットパターン及び付加ピットパターンの双方について検出される反転間隔の種々の組合せに応じてスピンドルモータの制御電圧を設定することにより、スライスレベルの変動に拘わらず、スピンドルモータの回転速度を適切に粗調整することができるようにしている。この同期信号パターンの場合、Ｔを単位ピット長とすれば、最大ピットパターンのピット長すなわち最大反転間隔は１４Ｔ、付加ピットパターンの付加反転間隔は４Ｔとなっている。
【０００４】
一方、新たな光ディスクの規格によるブルーレイディスクの場合、同期信号として、２Ｔ、９Ｔ、及び９Ｔの各反転間隔により構成されるものを採用することが、提案されている。同期信号の検出はシフトレジスタを用いて行われる。
【０００５】
【特許文献１】特開平９−１８０３６３号公報
【発明の開示】
【発明が解決しようとする課題】
【０００６】
しかしながら、シフトレジスタを用いて計２０Ｔ（＝２Ｔ＋９Ｔ＋９Ｔ）の各反転間隔を有するブルーレイディスクの同期信号を一度に抽出する場合、基準クロックとして高速のものを使用すると、シフトレジスタ等における遅延時間の影響が大きくなり、抽出ミスを起こす危険性が高くなる。また、同期信号のうちの９Ｔ部分の反転間隔が、スピンドルモータの回転数が基準より遅いために１０Ｔとして認識されると、同期信号を検出することができなくなる。
【０００７】
また、上述の改良された粗検出の技術によれば、スピンドルの加速及び減速がある場合には、スライスレベルの変動により、２値信号が微妙に変動するので、最大反転間隔及び付加反転間隔の種々の組合せに対応する制御電圧を設定しておき、粗調整を行う必要がある。
【０００８】
本発明の目的は、このような従来技術の問題点に鑑み、光ディスクの再生に際し、より確実に同期信号の再生を行うことができるようにすることにある。
【課題を解決するための手段】
【０００９】
上記目的を達成するための第１の発明は、光ディスクの情報を読み取るピックアップの出力信号を２値化した信号に基づき、同期信号を再生する装置に関する。この同期信号再生装置は、２値化信号中の同期信号を構成する最大反転間隔以上の間隔を有する反転間隔を検出する第１の間隔検出手段と、２値化信号中の同期信号を構成する他の反転間隔以上の間隔を有する反転間隔を検出する第２の間隔検出手段と、第１及び第２間隔検出手段による検出が所定の間隔を置いて行われたことに応答して、所定のパルスを出力するパルス出力手段とを具備することを特徴とする。
【００１０】
ここで、光ディスクとしては、たとえばブルーレイディスクや、ＤＶＤ、ＣＤが該当する。同期信号としては、たとえばブルーレイディスクにおける２Ｔ，９Ｔ，９Ｔの反転間隔を有するもの、ＤＶＤにおける１４Ｔ，４Ｔの反転間隔を有するもの、ＣＤにおける１１Ｔ，１１Ｔ，２Ｔの反転間隔を有するものが該当する。ただし、これらの反転間隔の値はディスクが正規の速度で回転している場合の値である。反転間隔とは、信号が反転してから次に反転するまでの期間を意味する。同期信号を構成する最大反転間隔及び他の反転間隔としては、たとえばＤＶＤにおける反転間隔１４Ｔ及び反転間隔４Ｔや、ブルーレイディスクにおける２つの反転間隔９Ｔが該当する。所定の間隔としては、ＤＶＤの場合の４Ｔや、ブルーレイディスクの場合の９Ｔが該当する。
【００１１】
この構成において、光ディスクが正規の回転速度で回転している場合、２値信号に含まれる同期信号中の最大反転間隔部分及び他の反転間隔部分が第１及び第２反転間隔検出手段に入力されると、第１及び第２反転間隔検出手段はそれぞれ入力される反転間隔が最大反転間隔以上の間隔を有すること及び他の反転間隔以上の間隔を有することを検出する。これらの検出は所定の間隔、たとえば前記他の反転間隔に相当する間隔を置いて行われるので、これに応答して、パルス出力手段は、所定のパルスを出力する。このパルスは再生された同期信号を表している。
【００１２】
第２の発明に係る同期信号再生装置は、第１発明において、前記他の反転間隔は前記最大反転間隔に対して隣接する反転間隔であり、前記所定間隔は、ほぼ前記最大反転間隔又は他の反転間隔に等しいことを特徴とする。
【００１３】
第３の発明に係る同期信号再生装置は、第２発明において、第１間隔検出手段は、入力される反転間隔がほぼ前記最大反転間隔だけ継続した時点で前記最大反転間隔を検出した旨を示す第１のパルスを出力するものであり、第２間隔検出手段は、入力される反転間隔がほぼ前記他の反転間隔だけ継続した時点で前記隣接間隔を検出した旨を示す第２のパルスを出力するものであり、パルス出力手段は、同期信号において前記最大反転間隔が前記他の反転間隔の前に位置する場合には第１パルスを前記他の反転間隔だけ遅延させ、後に位置する場合には第２パルスを前記最大反転間隔だけ遅延させる手段と、遅延手段の出力及びそれによって遅延されていない第２又は第１間隔検出手段の出力の論理積を出力する手段とを有することを特徴とする。
【００１４】
第４の発明に係る同期信号再生装置は、第３発明において、第１間隔検出手段又はこれに加えて第２間隔検出手段の出力するパルスの数をカウントする手段と、カウント手段によるカウント値に基づき、光ディスクを回転させる手段を制御する手段とを有することを特徴とする。
【００１５】
第５の発明に係る同期信号再生装置は、第４発明において、カウント手段によるカウント値に基づき、第１間隔検出手段、第２間隔検出手段、及び遅延手段を、より大きな又は小さな間隔を有する反転間隔を検出する手段、及びその間隔に対応する分だけより大きな又は小さな間隔の遅延を生じさせる手段との間で切り替える手段を有することを特徴とする。
【００１６】
第６の発明に係る同期信号再生装置は、第１〜第５のいずれかの発明において、前記最大反転間隔及び他の反転間隔は、ブルーレイディスクにおける同期信号を構成する２つの９Ｔの反転間隔、ＣＤにおける同期信号を構成する２つの１１Ｔの反転間隔、又はＤＶＤにおける同期信号を構成する１４Ｔ及び４Ｔの反転間隔であることを特徴とする。
【００１７】
第７の発明に係る光ディスク再生装置は、第１〜第６のいずれかの同期信号再生装置を備え、それによって再生される同期信号に基づき、光ディスクの回転速度を制御し、光ディスクの再生を行うことを特徴とする。
【００１８】
第８の発明に係る同期信号再生方法は、光ディスクの情報を読み取るピックアップの出力信号を２値化した信号に基づき、同期信号を再生する方法に関する。そして、２値化信号中の同期信号を構成する最大反転間隔以上の間隔を有する反転間隔を検出する第１の間隔検出工程と、２値化信号中の同期信号を構成する他の反転間隔以上の間隔を有する反転間隔を検出する第２の間隔検出工程と、前記最大反転間隔及び他の反転間隔の検出が所定の間隔を置いて行われたことに応答して、所定のパルスを出力するパルス出力工程とを具備することを特徴とする。
【発明の効果】
【００１９】
本発明によれば、第１間隔検出手段及び第２間隔検出手段により同期信号中の最大反転間隔及び他の反転間隔を検出することによって同期信号を検出するようにしたため、同期信号全体をシフトレジスタで一度に検出するには遅れ時間が問題となるような場合でも、支障なく同期信号の検出を行うことができる。
【００２０】
また、カウント手段によるカウント値に基づき、光ディスクの回転速度を制御できるようにしたため、正規の回転速度からかなりずれて、たとえば最大反転間隔９Ｔが１０Ｔとして認識されるような場合でも、粗調整を行って正規の回転速度同となるように調整し、同期信号を検出することができる。
【００２１】
また、遅延手段による遅延量においてある程度の幅を設けることにより、２値信号が微動したとしても、同期信号の検出能力を保持することができる。
【００２２】
また、第１間隔検出手段、第２間隔検出手段、及び遅延手段を、より大きな又は小さな間隔を有する反転間隔を検出する手段、及びその間隔に対応する分だけより大きな又は小さな間隔の遅延を生じさせる手段との間で切り替えることができるようにしたため、正規の回転速度からかなりずれて、たとえば最大反転間隔９Ｔが１０Ｔとして認識されるような場合でも、そのような回転速度における同期信号を検出することができる。つまりロックレンジを拡大することができる。
【発明を実施するための最良の形態】
【００２３】
図１は本発明の一実施形態に係る光ディスク再生装置の主要部の構成を示すブロック図である。図中の１は光ディスク、２は光ディスクを回転させるスピンドルモータ、３は光ディスク１から情報を読み取ってＲＦ信号を出力するピックアップ、４はＲＦ信号を２値化して、２値化信号ｂを出力する２値化回路、５は２値化信号ｂに基づき、同期信号に対応するパルスを出力する同期信号再生部、６は同期信号再生部５の出力に基づき回転速度の粗調整及び微調整が行われるようにスピンドルモータ２を駆動する駆動回路である。
【００２４】
ここでは、光ディスク１として、ブルーレイディスクを対象としている。ブルーレイディスクの場合、同期信号は２Ｔ（Ｌ），９Ｔ（Ｈ），９Ｔ（Ｌ）又は２Ｔ（Ｈ），９Ｔ（Ｌ），９Ｔ（Ｈ）の反転間隔により構成される。なお、（Ｌ）及び（Ｈ）はそれぞれ、それが付随する反転間隔の信号レベルがローレベル及びハイレベルであることを示す。同期信号ではないデータ部分の反転間隔の最大値は８Ｔである。
【００２５】
図２は同期信号再生部５の構成を示すブロック図である。同図において、２１は入力される２値化信号ｂにおいてローレベルの９Ｔ以上の間隔を有する反転間隔を検出したときにパルスを出力する９Ｔ（Ｌ）以上検出器、２２は２値化信号ｂにおいてハイレベルの９Ｔ以上の反転間隔を検出したときにパルスを出力する９Ｔ（Ｈ）以上検出器である。ただし、Ｔはマスタクロックの周期である。
【００２６】
２３は９Ｔ（Ｌ）以上検出器２１及び９Ｔ（Ｈ）以上検出器２２の出力信号ｄ１及びｄ２の論理和ｒ１を出力するＯＲ回路、２４はＯＲ回路２３の出力信号ｒ１に含まれるパルスの数をカウントするカウンタ、２５はＯＲ回路２３の出力信号ｒ１を９Ｔだけ遅延させる９Ｔ遅延回路、２６はＯＲ回路２３の出力信号ｒ１及び９Ｔ遅延回路２５の出力信号ｙ１の論理積ａ１を出力するＡＮＤ回路である。
【００２７】
図３は図２中の各部における信号のタイミングを示すタイミングチャートである。図中のＳＹは、２値化信号ｂに含まれる反転間隔２Ｔ（Ｌ），９Ｔ（Ｈ），９Ｔ（Ｌ）で構成される同期信号である。Ｐ１は９Ｔ（Ｌ）以上検出器２１の出力信号ｄ１に含まれる、９Ｔ（Ｌ）以上の反転間隔を検出した旨を示すパルスである。Ｐ２は９Ｔ（Ｈ）以上検出器２２の出力信号ｄ２に含まれる、９Ｔ（Ｈ）以上の反転間隔を検出した旨を示すパルスである。
【００２８】
Ｐ３及びＰ４はＯＲ回路２３の出力信号ｒ１に含まれる、パルスＰ１及びＰ２に対応するパルスである。Ｐ５及びＰ６は９Ｔ遅延回路２５の出力ｙ１に含まれる、パルスＰ３及びＰ４をそれぞれ９Ｔだけ遅延させたパルスである。ＡＮＤ回路２６の出力ａ１にはパルスＰ３及びＰ６が同時発生するときに生じるパルスＳＰが含まれる。
【００２９】
図５は１０Ｔ（Ｈ）の反転間隔を検出するときのマスタクロックＭＣＫ及び９Ｔ（Ｈ）以上検出器２２の出力ｄ２の関係を示すタイミングチャートである。９Ｔ（Ｈ）以上検出器２２は１０Ｔ（Ｈ）が到来してから９回目のマスタクロックＭＣＫの立上りと同時にパルスＰ２を立ち上げる。そして、１０Ｔ（Ｈ）の反転間隔が終了した後の最初のマスタクロックＭＣＫの立上りと同時にパルスＰ２を立ち下げる。９Ｔ（Ｌ）以上検出器２１も同様のタイミングでパルスＰ１を出力する。
【００３０】
この構成において、スピンドルモータ２が光ディスク１を正規の速度で回転させているとき、ピックアップ３からのＲＦ信号に基づく２値化信号ｂには、正規の同期信号が含まれている。このとき、図３に示すように、同期信号ＳＹ中の反転間隔９Ｔ（Ｈ）部分が９Ｔ（Ｈ）以上検出器２２に入力されると、９Ｔ（Ｈ）以上検出器２２はパルスＰ２を出力する。これと同時にＯＲ回路２３もパルスＰ４を出力する。パルスＰ４は９Ｔ遅延回路２５に入力される。
【００３１】
引き続き同期信号ＳＹ中の反転間隔９Ｔ（Ｌ）部分が９Ｔ（Ｌ）以上検出器２１に入力されると、９Ｔ（Ｌ）以上検出器２１はパルスＰ１を出力する。これと同時にＯＲ回路２３もパルスＰ３を出力する。またこの時、９Ｔ遅延回路２５が、パルスＰ４を９Ｔだけ遅延させたパルスＰ６を出力する。したがって、ＡＮＤ回路２６は、同時に発生するパルスＰ３及びＰ６に基づき、パルスＳＰを出力する。これにより同期信号ＳＹはパルスＳＰとして検出されたことになる。パルスＳＰは再生された同期信号として駆動回路６に出力され、スピンドルモータ２の微調整等に用いられる。
【００３２】
同期信号ＳＹが反転している場合も、図４に示すように、同様にして検出することができる。すなわちこの場合、反転間隔９Ｔ（Ｈ）部分と反転間隔９Ｔ（Ｌ）部分の順序が図３の場合と逆になっており、反転間隔９Ｔ（Ｌ）部分が反転間隔９Ｔ（Ｈ）部分より先に検出されるだけであり、検出の原理は図３の場合と同様である。
【００３３】
なお、以上の同期信号の検出動作が繰り返される間、カウンタ２４はＯＲ回路２３の出力信号ｒ１に含まれるパルスの数をカウントする。スピンドルモータ２が規定の速度で回転している場合には、上述のように、ＯＲ回路２３の出力信号ｒ１にはパルスＰ３及びＰ４のみが含まれる。したがって、１周期当たりのカウント数が２であれば、スピンドルモータ２は規定の速度で回転していることがわかる。
【００３４】
一方、スピンドルモータ２の回転速度を粗調整する場合には、カウンタ２４によるカウント値に基づいてスピンドルモータ２の回転速度を制御する。すなわち、スピンドルモータ２が規定の速度で回転してない場合には、１周期当たりのカウント数が２とはならないことを利用する。スピンドルモータ２が規定の速度より速く回転している場合には、同期信号ＳＹにおける反転間隔９Ｔ部分の間隔はたとえば８Ｔとなってしまい、その場合カウント数が増えることはない。
【００３５】
これに対し、スピンドルモータ２が規定速度より遅く回転している場合には、同期信号ＳＹの反転間隔９Ｔ部分の間隔はたとえば１０Ｔとなるが、同期信号ＳＹ以外の反転間隔８Ｔのデータも９Ｔの間隔を有するものとして、９Ｔ（Ｌ）以上検出器２１又は９Ｔ（Ｈ）以上検出器２２によって検出されることになる。したがって、１周期当たりのカウンタ２４によるカウント数は２より多くなる。したがって、駆動回路６は、カウンタ２４のカウント値に基づき、スピンドルモータ２の回転速度が規定の速度より遅いか又は速いかを認識し、規定速度で回転されるように、スピンドルモータ２の回転を粗調整することができる。
【００３６】
本実施形態によれば、反転間隔９Ｔ（Ｌ）部分を９Ｔ（Ｌ）以上検出器２１により検出し、反転間隔９Ｔ（Ｈ）部分を９Ｔ（Ｈ）以上検出器２２により検出するようにしているため、同期信号全体の２０Ｔ分を一度に検出する場合に比べ、検出に使用されるシフトレジスタにおける遅れ時間の影響を軽減して、検出能力を向上させることができる。
【００３７】
なお、９Ｔ遅延回路２５の代わりにＯＲ回路２３の出力信号ｒ１を８Ｔ〜１０Ｔ遅延させる８Ｔ−１０Ｔ遅延回路を設けるようにしてもよい。この場合、８Ｔ−１０Ｔ遅延回路は、図６に示すように、ＯＲ回路２３の出力信号ｒ１中のパルスＰ３及びＰ４を８Ｔ〜１０Ｔ遅延したパルスＰ５’及びＰ６’を出力するので、２値信号が時間軸方向に微動しても、パルスＳＰを確実に出力し、同期信号の検出能力を維持することができる。
【００３８】
また、カウンタ２４におけるカウント値において１０Ｔ以上の反転間隔についてのカウントが含まれる場合、すなわちカウント値が１周期当たり３以上である場合には、９Ｔ（Ｌ）以上検出器２１、９Ｔ（Ｈ）以上検出器２２及び９Ｔ遅延回路２５に代えて、図７に示すように、１０Ｔ（Ｌ）検出器６１、１０Ｔ（Ｈ）検出器６２及び１０Ｔ遅延回路６５を使用するようにしてもよい。１０Ｔ（Ｌ）検出器６１は入力される２値化信号ｂにおいてローレベルの１０Ｔ以上の間隔を有する反転間隔を検出したときパルスを出力するものである。１０Ｔ（Ｈ）検出器６２は２値化信号ｂにおいてハイレベルの１０Ｔ以上の間隔を有する反転間隔を検出したときにパルスを出力するものである。１０Ｔ遅延回路６５はＯＲ回路２３の出力信号ｒ２を１０Ｔだけ遅延させるものである。
【００３９】
この場合、スピンドルモータ２の回転速度が規定より遅いために、図８に示すように、２値化信号ｂ中の同期信号ＳＹにおける反転間隔９Ｔ（Ｈ）部分及び反転間隔９Ｔ（Ｌ）部分が、それぞれ１０Ｔ（Ｈ）及び１０Ｔ（Ｌ）となっているとすれば、反転間隔１０Ｔ（Ｈ）が１０Ｔ（Ｈ）検出器６２に入力されると、１０Ｔ（Ｈ）検出器６２はパルスＰ２２を出力する。これと同時にＯＲ回路２３も、パルスＰ２４を出力する。パルスＰ２４は１０Ｔ遅延回路６５に入力される。
【００４０】
引き続き、反転間隔１０Ｔ（Ｌ）部分が１０Ｔ（Ｌ）検出器６１に入力されると、１０Ｔ（Ｌ）検出器６１はパルスＰ２１を出力する。これと同時に、ＯＲ回路２３もパルスＰ２３を出力する。またこの時、１０Ｔ遅延回路６５が、パルスＰ２４を１０Ｔだけ遅延させたパルスＰ２６を出力する。したがって、ＡＮＤ回路２６は、同時に発生するパルスＰ２３及びＰ２６に基づき、パルスＳＰを出力する。これにより同期信号ＳＹはパルスＳＰとして検出されたことになる。同期信号ＳＹが反転している場合も、同様にしてその検出を行うことができる。
【００４１】
この検出動作が繰り返される間、カウンタ２４はＯＲ回路２３の出力信号ｒ２に含まれるパルスＰ２３及びＰ２４の数、すなわち１周期につき２個のパルス数をカウントする。そして、スピンドルモータ２の速度が速くなると、反転間隔１０Ｔ（Ｈ）及び１０Ｔ（Ｌ）が本来の反転間隔９Ｔ（Ｈ）及び９Ｔ（Ｌ）となるので、カウンタ２４における１周期当りのカウント値はゼロになる。このとき、１０Ｔ（Ｌ）検出器６１、１０Ｔ（Ｈ）検出器６２、及び１０Ｔ遅延回路６５をそれぞれ、９Ｔ（Ｌ）以上検出器２１、９Ｔ（Ｈ）以上検出器２２及び９Ｔ遅延回路２５に切り替えることにより同期信号を検出する。そしてカウンタ２４における１周期当りのカウント値が２個になったら、正規の同期信号が検出できたことになる。
【００４２】
これによれば、同期信号のロックレンジを拡大することができる。すなわち、ブルーレイディスクの場合、同期信号ではないデータ部分の反転間隔の最大値は８Ｔであるが、スピンドルモータ２の速度が規定より遅いために８Ｔが９Ｔとなっているとき、同期信号の反転間隔９Ｔ部分は１０Ｔとなっている。また、８Ｔが１０Ｔとなっているときには、９Ｔは１１Ｔとなっている。しかしこのように、スピンドルモータ２の速度が規定より遅いために、同期信号がより大きな反転間隔を有するようになっている場合でも、図７のような構成に切り替えることによって、同期信号を検出することができる。その後、スピンドルモータ２の速度を上げてゆき、最終的に本来の反転間隔による同期信号を検出するための構成に切り替えて、正規の同期信号を検出し、スピンドルサーボを行うことができる。
【００４３】
一方、スピンドルモータ２の回転速度が規定の速度より速い場合でも、次のようにして同期信号を検出し、ロックレンジをさらに広げることができる。すなわち、同期信号ＳＹ中の反転間隔２Ｔ部分に着目すると、回転速度が規定より速い場合、この２Ｔ部分は１Ｔとなる。１Ｔは同期信号やデータの反転間隔としては本来あり得ないので、２値化信号ｂ中に１Ｔの反転間隔が含まれる場合、スピンドルモータ２の回転速度が規定より速いと判断することができる。
【００４４】
そこで、２値化信号ｂ中の１Ｔを検出した場合には、９Ｔ（Ｌ）以上検出器２１、９Ｔ（Ｈ）以上検出器２２及び９Ｔ遅延回路２５に代えて、８Ｔ（Ｌ）以上検出器、８Ｔ（Ｈ）以上検出器、及び８Ｔ遅延回路を使用する。８Ｔ（Ｌ）以上検出器は入力される２値化信号ｂにおいてローレベルの８Ｔ以上の間隔を有する反転間隔を検出したときパルスを出力するものである。８Ｔ（Ｈ）以上検出器は２値化信号ｂにおいてハイレベルの８Ｔ以上の間隔を有する反転間隔を検出したときにパルスを出力するものである。８Ｔ遅延回路はＯＲ回路２３の出力信号を８Ｔだけ遅延させるものである。
【００４５】
スピンドルモータ２の回転速度が規定より速い場合、同期信号ＳＹ中の反転間隔９Ｔ部分は８Ｔとなるので、８Ｔ（Ｌ）以上検出器等により同期信号ＳＹを検出することができることになる。このとき、反転間隔が８Ｔのデータは７Ｔとなるので、同期信号ＳＹとデータとを混同して誤検出を生じるおそれはない。この場合も、カウンタ２４におけるカウント値を参照し、最終的に９Ｔ（Ｌ）以上検出器２１、９Ｔ（Ｈ）以上検出器２２及び９Ｔ遅延回路２５に切り替えて、正規の同期信号を検出することができる。
【００４６】
なお、本実施形態では、ディスク１がブルーレイディスクである場合について説明したが、ディスク１がＣＤである場合にも同様の構成で同期信号の検出及びスピンドルサーボを行うことができる。つまり、ＣＤの場合には、同期信号は１１Ｔ，１１Ｔ，２Ｔの反転間隔により構成されるので、９Ｔ（Ｌ）以上検出器２１及び９Ｔ（Ｈ）以上検出器２２に代えて、反転間隔１１Ｔを検出するものを用い、９Ｔ遅延回路２５に代えて、間隔１１Ｔだけ遅延させるものを用いればよい。また、図７の回転速度が遅い場合に切り替える構成についても、同様に、ＣＤの同期信号の場合に対応する反転間隔の検出器及び遅延回路を用いればよい。
【００４７】
図９は図１の光ディスク再生装置における同期信号再生部５の別の構成例を示すブロック図である。この同期信号再生部は、光ディスク１がＤＶＤの場合に用いられる。ＤＶＤの同期信号は反転間隔１４Ｔ及び４Ｔにより構成されている。図中の９１は入力される２値化信号ｂにおいてローレベル又はハイレベルの１４Ｔ以上の間隔を有する反転間隔を検出したときにパルスを出力する１４Ｔ（Ｌ）又は（Ｈ）以上検出器、９２は２値化信号ｂにおいてローレベル又はハイレベルの４Ｔ以上の間隔を有する反転間隔を検出したときにパルスを出力する４Ｔ（Ｌ）又は（Ｈ）以上検出器、９５は１４Ｔ（Ｌ）又は（Ｈ）以上検出器９１の出力信号ｄ６を４Ｔだけ遅延させる４Ｔ遅延回路、２６は４Ｔ遅延回路９５及び４Ｔ（Ｌ）又は（Ｈ）以上検出器９２の出力信号ｄｙ及びｄ５の論理積ａ１を出力するＡＮＤ回路である。
【００４８】
図１０は図９の各部における信号のタイミングを示すタイミングチャートである。図中のＳＮは、２値化信号ｂに含まれる反転間隔１４Ｔ（Ｈ）及び４Ｔ（Ｌ）で構成される同期信号である。Ｐａは１４Ｔ（Ｌ）又は（Ｈ）以上検出器９１の出力信号ｄ６に含まれる、１４Ｔ（Ｌ）又は（Ｈ）以上の反転間隔を検出した旨を示すパルスである。Ｐｂは遅延回路９５の出力ｄｙに含まれる、パルスＰａを４Ｔだけ遅延させたパルスである。Ｐｃ及びＰｄは４Ｔ（Ｌ）又は（Ｈ）以上検出器９２の出力信号ｄ５に含まれる、２値化信号ｂ中の反転間隔１４Ｔ（Ｈ）に基づく間隔１０Ｔのパルス及び同期信号ＳＮの反転間隔４Ｔ（Ｌ）を検出した旨を示すパルスである。ＡＮＤ回路２６の出力信号ａ１にはパルスＰｂ及びＰｄが同時に発生するときに生じるパルスＳＰが含まれる。
【００４９】
この構成において、スピンドルモータ２が光ディスク１を回転させ、ピックアップ３が光ディスク１に基づくＲＦ信号を２値化回路４に供給すると、２値化回路４はＲＦ信号を２値化し、２値化信号ｂを同期信号再生部５の１４Ｔ（Ｌ）又は（Ｈ）以上検出器９１及び４Ｔ（Ｌ）又は（Ｈ）以上検出器９２に出力する。このとき、光ディスク１が規定の速度で回転しているとするれば、２値化信号ｂにおける同期信号ＳＮ中の反転間隔１４Ｔ（Ｈ）部分が入力されると、１４Ｔ（Ｌ）又は（Ｈ）以上検出器９１はパルスＰａを出力する。
【００５０】
引き続き、同期信号ＳＮ中の反転間隔４Ｔ（Ｌ）部分が入力されると、４Ｔ（Ｌ）又は（Ｈ）以上検出器９２はパルスＰｄを出力する。これと同時に、４Ｔ遅延回路９５が、パルスＰａを４Ｔだけ遅延させたパルスＰｂを出力する。したがって、ＡＮＤ回路２６は同時に発生するパルスＰｂ及びＰｄに基づき、パルスＳＰを出力する。これにより同期信号ＳＮはパルスＳＰとして検出されたことになる。図１１に示されるように、同期信号ＳＮが図１０の場合に対して反転しており、１４Ｔ（Ｌ），４Ｔ（Ｈ）で構成されている場合にも、同様にして同期信号を検出し、再生することができる。
【００５１】
なお、本実施形態においても、図２や図７の形態の場合のように、１４Ｔ（Ｌ）又は（Ｈ）以上検出器９１が出力するパルス数をカウントし、これに基づいて粗調整を行ったり、１４Ｔ（Ｌ）又は（Ｈ）以上検出器９１をより長い又は短い反転間隔を検出するものに切り替えたりすることによって、検出精度の向上やロックレンジの拡大を図ることができる。
【図面の簡単な説明】
【００５２】
【図１】本発明の一実施形態に係る光ディスク再生装置の主要部の構成を示すブロック図である。
【図２】図１の装置の同期信号再生部の構成を示すブロック図である。
【図３】図２中の各部における信号のタイミングを示すタイミングチャートである。
【図４】同期信号が反転している場合の図２の各部における信号のタイミングを示すタイミングチャートである。
【図５】図２の構成において１０Ｔ（Ｈ）の反転間隔を検出するときのマスタクロックＭＣＫ及び９Ｔ（Ｈ）以上検出器の出力の関係を示すタイミングチャートである。
【図６】図２の構成において９Ｔ遅延回路の代わりに８Ｔ−１０Ｔ遅延回路を設けた場合の８Ｔ−１０Ｔ遅延回路、ＯＲ回路、及びＡＮＤ回路の出力のタイミングチャートである。
【図７】図２の構成において９Ｔ（Ｌ）以上検出器、９Ｔ（Ｈ）以上検出器及び９Ｔ遅延回路２５に代えて、１０Ｔ（Ｌ）検出器、１０Ｔ（Ｈ）検出器及び１０Ｔ遅延回路を使用する場合の構成を示すブロック図である。
【図８】スピンドルモータの回転速度が規定より遅い場合の図７の構成における各部の信号のタイミングチャートである。
【図９】図１の光ディスク再生装置における同期信号再生部の別の構成例を示すブロック図である。
【図１０】図９の各部における信号のタイミングを示すタイミングチャートである。
【図１１】同期信号が反転している場合の図９の各部における信号のタイミングを示すタイミングチャートである。
【符号の説明】
【００５３】
１：光ディスク、２：スピンドルモータ、３：ピックアップ、４：２値化回路、５：同期信号再生部、２１：９Ｔ（Ｌ）以上検出器、２２：９Ｔ（Ｈ）以上検出器、２３：ＯＲ回路、２４：カウンタ、２５：９Ｔ遅延回路、２６ＡＮＤ回路、６１：１０Ｔ（Ｌ）以上検出器、６２：１０Ｔ（Ｈ）以上検出器、６５：１０Ｔ遅延回路、９１：１４Ｔ（Ｌ）又は（Ｈ）以上検出器、９２：４Ｔ（Ｌ）又は（Ｈ）以上検出器、９５：４Ｔ遅延回路。
【図１】
2007004939.tif 000003
【図２】
2007004939.tif 000004
【図３】
2007004939.tif 000005
【図４】
2007004939.tif 000006
【図５】
2007004939.tif 000007
【図６】
2007004939.tif 000008
【図７】
2007004939.tif 000009
【図８】
2007004939.tif 000010
【図９】
2007004939.tif 000011
【図１０】
2007004939.tif 000012
【図１１】
2007004939.tif 000013